(57)【要約】      （修正有）【課題】スマートフォン外形を変更しないで、安定した撮影ができるシャッター構造を備えた保護ケースを提供する。【解決手段】ポータブル電子機器に取り付けるためのシャッター構造を備えた保護ケースであって、ポータブル電子機器はオーディオジャック５１とカメラモジュール５２とを含む。保護ケース１はケースシェル１０とシャッターボタン２０とオーディオプラグ３０とトリガ回路４０とを含む。オーディオプラグは、オーディオジャックと互いに接合し、トリガ回路はシャッターボタンが押圧された時、オーディオプラグとオーディオジャックを経由してシャッター信号をカメラモジュールに送信する。シャッターボタンがケースシェルの外側に位置するため、ポータブル電子機器のスクリーンをタップして撮影を行う必要がない。【選択図】図２
0003187341.tif 000002
【実用新案登録請求の範囲】
【請求項１】
オーディオジャックとカメラモジュールとを含むポータブル電子機器に取り付けることに用いられ、
前記ポータブル電子機器を収容するための収容空間を含むケースシェルと、
前記ケースシェル上の前記収容空間に対向する一側に位置するシャッターボタンと、
前記ケースシェル上の前記収容空間に隣接する一側に位置し、前記ポータブル電子機器を前記収容空間に取り付けた時前記オーディオジャックと互いに接合し、且つ、信号が接続するために用いられるオーディオプラグと、
前記シャッターボタンと前記オーディオプラグの間を電気的に接続し、前記シャッターボタンが押圧された時前記オーディオプラグ、及び、前記ポータブル電子機器の前記オーディオジャックを経由してシャッター信号を前記カメラモジュールに送信するために用いられるトリガ回路と、
を含むことを特徴とするシャッター構造を備えた保護ケース。
【請求項２】
前記ケースシェルは、底壁部と前記底壁部の周縁から延伸した側壁部とを備え、前記底壁部と前記側壁部で前記収容空間を形成することを特徴とする請求項１に記載のシャッター構造を備えた保護ケース。
【請求項３】
前記側壁部が前記底壁部の一側辺に対向する切欠部を備えることを特徴とする請求項２に記載のシャッター構造を備えた保護ケース。
【請求項４】
前記オーディオプラグは、前記側壁部上に位置し、且つ、前記切欠部に対応することを特徴とする請求項３に記載のシャッター構造を備えた保護ケース。
【請求項５】
前記ポータブル電子機器は、前記底壁部に当接する背面を含み、前記カメラモジュールが前記背面に位置し、前記底壁部は前記ポータブル電子機器が保護ケースに取り付けられた時、前記カメラモジュールを露出するためのスールホールを含むことを特徴とする請求項２に記載のシャッター構造を備えた保護ケース。
【請求項６】
前記シャッターボタンは、前記側壁部の第１側壁の一端に位置し、前記スールホールが前記背面上の前記第１側壁の他端に対向する箇所に位置することを特徴とする請求項５に記載のシャッター構造を備えた保護ケース。
【請求項７】
前記トリガ回路は、前記シャッターボタンと前記オーディオプラグの間を電気的に接続することで、前記シャッター信号を検出結果に変更すると共に前記検出結果を前記オーディオプラグに出力する変換モジュールを含むことを特徴とする請求項１に記載のシャッター構造を備えた保護ケース。
【請求項８】
前記トリガ回路は、前記オーディオプラグに電気的に接続し、前記ポータブル電子機器の前記オーディオジャックから出力したオーディオ信号を受信して前記オーディオ信号を音波に変換する音響モジュールを含むことを特徴とする請求項１に記載のシャッター構造を備えた保護ケース。
【請求項９】
前記音響モジュールは、スピーカを含むことを特徴とする請求項８に記載のシャッター構造を備えた保護ケース。
【請求項１０】
前記ケースシェル上の前記収容空間に対向する一側に位置し、前記オーディオプラグに電気的に接続し、前記シャッターボタンが押圧された時前記オーディオプラグ、及び、前記オーディオジャックを経由して制御信号を前記ポータブル電子機器に送信し、また、前記シャッターボタンとコーディングスイッチセットを形成する少なくとも１個の制御キーを更に含むことを特徴とする請求項１に記載のシャッター構造を備えた保護ケース。
【考案の詳細な説明】
【技術分野】
【０００１】
本考案は、保護ケースに関し、特に、シャッター構造を備えた保護ケースに関する。
【背景技術】
【０００２】
スマートフォンが登場して以来、パソコンのようにサードパーティのソフトウェアをインストールして機能を拡張できることで、高い応用拡張性を持ち、更にスマートフォンはタッチスクリーンを有し、タップ（軽く叩くこと）による手書き入力或いは操作に提供される直感式操作インターフェースは人々に愛されているため、近年幅広く流行している。
【０００３】
現行のスマートフォンの背面は、大半がカメラモジュールを備えるため、カメラアプリだけをインストールすることで、該カメラモジュールを組み合わせて撮影できる。撮影時、該カメラモジュールを被写体に合わせ、スマートフォンのスクリーンを通じて確認してから手の指でスクリーンの撮影ボタンを軽くタップすると、撮影できる。
【０００４】
利用者はスマートフォンで自分撮りをする時、大半が親指及び中指で該スマートフォンを掴み、またスマートフォンのカメラモジュールを自分に向けてから人差し指でスクリーンを軽くタップする。しかし、こうすると親指及び中指でスマートフォンを固定する方式が不安定になったり、スクリーンが見えないため、人差し指でタップしたスクリーン位置が正確かどうかを分からず、よってその撮影方法は、極めて不便で且つ撮影品質が容易に不安定になってしまう。
【０００５】
上記問題点に鑑み、如何にしてスマートフォン外形を変更しないという原則で、利用者に安定した撮影方法を提供することで、高品質の写真を撮影するかが、実際に実現可能な解決策を求める必要性がある。
【先行技術文献】
【特許文献】
【０００６】
【特許文献１】特開２０１３−１７２２９８号公報
【考案の概要】
【考案が解決しようとする課題】
【０００７】
本考案は、前記問題点に鑑み、ポータブル電子機器に嵌設することで筐体のスリキズ損傷を避け、また利用者が把持して撮影を行う便利性を兼ね備えるシャッター構造を備えた保護ケースを提供することにある。
【課題を解決するための手段】
【０００８】
本考案の一実施例は、ポータブル電子機器に取り付けるためのシャッター構造を備えた保護ケースを提供する。ポータブル電子機器は、オーディオジャックとカメラモジュールとを含み、且つ保護ケースがケースシェルとシャッターボタンとオーディオプラグとトリガ回路とを含む。
【０００９】
ケースシェルは、ポータブル電子機器を収容するための収容空間を含む。シャッターボタンは、ケースシェル上の収容空間に対向する一側に位置する。オーディオプラグはケースシェル上の収容空間に隣接する一側に位置し、ポータブル電子機器を収容空間に取り付けた時オーディオジャックと互いに接合し且つ信号が接続するために用いられる。トリガ回路は、シャッターボタンとオーディオプラグの間を電気的に接続し、シャッターボタンが押圧された時オーディオプラグ及びポータブル電子機器のオーディオジャックを経由してシャッター信号をカメラモジュールに送信するために用いられる。
【考案の効果】
【００１０】
本考案に係るシャッター構造を備えた保護ケースは、利用者が保護ケースを把持した時シャッターボタンを押圧すると撮影できる。シャッターボタンがケースシェルの外側に位置するため、利用者が簡単にシャッターボタンを押圧することができ、ポータブル電子機器のスクリーンをタップして撮影を行う必要がない。更に、利用者が保護ケースを把保する時操作や撮影の方法は、一般のカメラと同じであるため、利用者に安定して把持させることができ、またカメラを操作している実感が得られる。
【図面の簡単な説明】
【００１１】
【図１】本考案に係る第１の実施例の保護ケースとポータブル電子機器の立体図である。
【図２】本考案に係る第１の実施例の保護ケースとポータブル電子機器の別の立体図である。
【図３Ａ】本考案に係る第１の実施例のトリガ回路図である。
【図３Ｂ】本考案に係る第１の実施例のポータブル電子機器のシャッター検出回路図である。
【図４】本考案に係る第２の実施例の保護ケース立体図である。
【図５】本考案に係る第２の実施例のトリガ回路図である。
【図６】本考案に係る第３の実施例の保護ケース前面図である。
【図７Ａ】本考案に係る第４の実施例のトリガ回路図である。
【図７Ｂ】本考案に係る第４の実施例の別のトリガ回路図である。
【図７Ｃ】本考案に係る第４の実施例のシャッター検出回路図である。
【図８】本考案に係る第５の実施例の保護ケースとポータブル電子機器の立体図である。
【考案を実施するための形態】
【００１２】
（第１の実施例）
図１は、本考案に係る第１の実施例の保護ケース１とポータブル電子機器５０の立体図である。図２は、本考案に係る第１の実施例の保護ケース１とポータブル電子機器５０の別の立体図である。
【００１３】
図１及び図２を一緒に参照しながら説明する。保護ケース１は、ケースシェル１０とシャッターボタン２０とオーディオプラグ３０とトリガ回路４０とを含み、ポータブル電子機器５０を中に取り付けことができる。ポータブル電子機器５０は、オーディオジャック５１とカメラモジュール５２とを含む。そこで、ポータブル電子機器５０は実質的に携帯電話、ＧＰＳナビゲーター或いはマルチメディアプレーヤー等の装置とすることができる。
【００１４】
ケースシェル１０は、ポータブル電子機器５０を収容するための収容空間１３を含む。シャッターボタン２０は、ケースシェル１０上の収容空間１３に対向する一側に位置する。オーディオプラグ３０はケースシェル１０上の収容空間１３に隣接する一側に位置し、ポータブル電子機器５０を収容空間１３に取り付けた時オーディオジャック５１と互いに接合し且つ信号が接続するために用いられる。トリガ回路４０は、シャッターボタン２０とオーディオプラグ３０の間を電気的に接続し、シャッターボタン２０が押圧された時オーディオプラグ３０及びポータブル電子機器５０のオーディオジャック５１を経由してシャッター信号をカメラモジュール５２に送信するために用いられる。
【００１５】
そこで、本実施例のポータブル電子機器５０の形状は、略扁平状の長方体を例とするが本考案の実施例はこれに限定されず、その他の形状とすることもできる。このほかに、保護ケース１の外形は、ポータブル電子機器５０の形状に対応して設計でき、図１に示す保護ケース１の外形に限定されない。
【００１６】
図１に示すように、ケースシェル１０は、底壁部１１と底壁部１１の周縁から延伸して形成した側壁部１２とを含むことができる。これを介して底壁部１１は側壁部１２と収容空間１３を構成でき、ポータブル電子機器５０の収容に用いられる。オーディオジャック５１は、保護ケース１のオーディオプラグ３０と対応して差し込むため、ポータブル電子機器５０の底部に位置する。ただし、本考案の実施例はこれに限定されず、オーディオプラグ３０の位置はオーディオジャック５１の位置を見て決定できる。
【００１７】
図２に示すように、ポータブル電子機器５０は背面５５を有し、収容空間１３に載置した時ケースシェル１０の底壁部１１に当接するために用いられる。カメラモジュール５２は、背面５５に位置する。ケースシェル１０の底壁部１１は、ポータブル電子機器５０が保護ケース１に取り付けられた時、カメラモジュール５２を露出するためのスールホール１４を備える。
【００１８】
もう一度図１を参照すると、側壁部１２は、２つの対向する第１側壁１２１と２つの対向する第２側壁１２２とを含み、且つ交互配列する。そこで、第１側壁１２１と第２側壁１２２の交角が略９０度となり、つまり収容空間１３が略矩形の立体空間となる。
【００１９】
若干の実施例において、図１に示すようにシャッターボタン２０は、側壁部１２の第１側壁１２１の一端に位置し、スールホール１４が背面５５上の第１側壁１２１の他端に対向する箇所に位置する。これを介して利用者はケースシェル１０を把持した時、シャッターボタン２０を押圧する手がスールホール１４及びカメラモジュール５２を遮ることを避けることができる。
【００２０】
このほかに、シャッターボタン２０が第１側壁１２１に位置するため、利用者が撮影したい時片手で保護ケース１を把持でき、且つ手の指でシャッターボタン２０を押圧すると、撮影を行うことができる。利用者が保護ケース１を安定的に把持できるため撮影時振れしにくく、これによって撮影品質を向上できる。
【００２１】
若干の実施例において、図１に示すようにシャッターボタン２０は、略円柱状を呈するが、本考案はこれに限定されない。シャッターボタン２０は、押圧スイッチとすることができ、導通状態及び遮断状態を有し、シャッターボタン２０が押圧されると導通状態になり、逆の場合遮断状態になる。
【００２２】
若干の実施例において、図１に示すようにオーディオプラグ３０は、第２側壁１２２上の収容空間１３に隣接する一側に位置する。ポータブル電子機器５０が収容空間１３に収容された時、オーディオプラグ３０はオーディオジャック５１にマッチできるため、オーディオプラグ３０がオーディオジャック５１に差し込むことで信号の接続を構成できる。
【００２３】
図３Ａは、本考案に係る第１の実施例のトリガ回路４０図である。
【００２４】
図２及び図３Ａを一緒に参照しながら説明する。トリガ回路４０は、オーディオプラグ３０とシャッターボタン２０の間で電気的に接続し、シャッターボタン２０が導通状態になった時対応してシャッター信号を生成し、またシャッター信号をオーディオプラグ３０に送信する。
【００２５】
図３Ａに示すように、オーディオプラグ３０は、複数の電気接点を有し、本実施例において左チャンネル接点３１、右チャンネル接点３２、接地接点３３及びマイクロホン接点３４の順に配列している。そこで、相互の電気信号を遮断するため、いずれかの両電気接点の間に絶縁部３５を有する。
【００２６】
左チャンネル接点３１は、左チャンネル導線Ｌに電気的に接続する。右チャンネル接点３２が右チャンネル導線Ｒに電気的に接続する。接地接点３３は、接地導線Ｇに電気的に接続する。マイクロホン接点３４は、マイクロホン導線Ｍに電気的に接続する。シャッターボタン２０は、マイクロホン導線Ｍと接地導線Ｇの間を電気的に接続することで、シャッターボタン２０が導通状態になった時マイクロホン導線Ｍと接地導線Ｇの間をショートさせてマイクロホン導線Ｍと接地導線Ｇに同じ電圧レベルを持たせる（逆の場合、異なるレベル）。そこで、シャッター信号は、マイクロホン導線Ｍと接地導線Ｇの間の電圧レベル変化をいう。
【００２７】
一実施例において、トリガ回路４０は音響モジュール４２を更に含む。音響モジュール４２は、オーディオプラグ３０に電気的に接続し、ポータブル電子機器５０のオーディオジャック５１から出力したオーディオ信号を受信してオーディオ信号を音波に変換するために用いられる。
【００２８】
図３Ａにおいて、音響モジュール４２は、２個のスピーカ４２１を含み、１個のスピーカ４２１が右チャンネル導線Ｒと接地導線Ｇの間を電気的に接続し、もう１個のスピーカ４２１が左チャンネル導線Ｌと接地導線Ｇの間を電気的に接続し、これを介して右チャンネル或いは左チャンネルのステレオ音声を各々対応して出力する。
【００２９】
そこで、図３Ａに示すのは、２個のスピーカ４２１を例とするが、本考案の実施例はこれに限定されず、音響モジュール４２も１個のスピーカ４２１のみを含み、右チャンネル導線Ｒ或いは左チャンネル導線Ｌに対応して接続することで、シングルチャンネルの音声のみを出力することもできる。
【００３０】
本実施例においてスピーカ４２１は、可動コイル形単体、静電式単体、平板式単体或いは可動鉄片形単体とすることができる。
【００３１】
図３Ｂは、本考案に係る第１の実施例のポータブル電子機器５０のシャッター検出回路５６図である。
【００３２】
図３Ｂに示すように、シャッター検出回路５６は、オーディオジャック５１と電源モジュール５３と信号検出器５７とを含む。
【００３３】
図１、図３Ａ及び図３Ｂを一緒に参照しながら説明する。オーディオジャック５１は、左チャンネルピン５１１と右チャンネルピン５１２と接地ピン５１３とマイクロホンピン５１４とを含む。オーディオジャック５１とオーディオプラグ３０を接合して信号が接続した時、左チャンネルピン５１１は左チャンネル接点３１に電気的に接続し、右チャンネルピン５１２が右チャンネル接点３２に電気的に接続し、接地ピン５１３が接地接点３３に電気的に接続し、マイクロホンピン５１４がマイクロホン接点３４に電気的に接続する。
【００３４】
図３Ｂに示すように、マイクロホンピン５１４は電源モジュール５３に電気的に接続することで、マイクロホンピン５１４が電源モジュール５３から供給する高電圧レベル（つまり非接地レベル）を得ることができる。マイクロホンピン５１４は、更に信号検出器５７まで電気的に接続し、シャッターボタン２０が遮断状態になった時、信号検出器５７はマイクロホンピン５１４が前記高電圧レベルとすることを検出できる。逆に、シャッターボタン２０が導通状態になった時、信号検出器５７はマイクロホンピン５１４が接地ピン５１３と同じ電圧レベル（つまり接地レベル）とすることを検出でき、これに基いてシャッター信号（つまりこの電圧変化）を検出する。よって、ポータブル電子機器５０は、シャッター信号に基きシャッターボタン２０が押圧されていることを知ることができる。
【００３５】
図３Ｂに示すように、ポータブル電子機器５０は、制御モジュール５８とオーディオモジュール５９を更に含む。
【００３６】
制御モジュール５８の信号は信号検出器５７に接続され、これをもって信号検出器５７でシャッター信号を受信したか否かという検出結果を受信する。制御モジュール５８の信号は、カメラモジュール５２を制御して撮影を行うため、更にカメラモジュール５２に接続することで、信号検出器５７でシャッター信号を受信した時、撮影モードに入ったことを確認する。
【００３７】
オーディオモジュール５９の信号は、制御モジュール５８と左チャンネルピン５１１と右チャンネルピン５１２と接地ピン５１３とマイクロホンピン５１４の間を接続することで、制御モジュール５８で制御して左チャンネルピン５１１と右チャンネルピン５１２と接地ピン５１３を経由してオーディオ信号を前記両スピーカ４２１に送信する。
【００３８】
そこで、制御モジュール５８は、実質的に各種アーキテクチャのプロセッサ又は中央処理装置とすることができる。オーディオモジュール５９は、実質的にオーディオコーデックチップ、アナログ／デジタル変換器、デジタル／アナログ変換器、増幅器等を含む信号プロセッサとすることができる。電源モジュール５３は、マイクロホンピン５１４の電圧レベルを提供する以外に、ポータブル電子機器５０内の各素子作動時に必要な電力を供給できる。このほかに、ポータブル電子機器５０は、例えばメモリ、スクリーン、通信チップ等のアセンブリを更に含むことができるが、ここでは詳細な説明を省略する。
【００３９】
若干の実施例において、図３Ｂに示すように、電源モジュール５３とマイクロホンピン５１４の間に抵抗器Ｒ１を更に電気的に接続することで、電流の制限用とすることができる。
【００４０】
図４は、本考案に係る第２の実施例の保護ケース１立体図である。
【００４１】
図４に示すように、本実施例の保護ケース１とポータブル電子機器５０は、第１の実施例とほぼ同じであるが、その相違点は保護ケース１がケースシェル１０上の収容空間１３に対向する一側に位置する少なくとも１個の制御キー１５を更に含むことである。そこで、３個の制御キー１５を例とするが、本考案の実施例はこれに限定されない。
【００４２】
（第２の実施例）
図５は、本考案に係る第２の実施例のトリガ回路４０図である。
【００４３】
図５に示すように、制御キー１５はオーディオプラグ３０に電気的に接続し、シャッターボタン２０が押圧された時オーディオプラグ３０及びオーディオジャック５１を経由して制御信号（つまり制御キー１５が導通状態時に起きたマイクロホン導線Ｍと接地導線Ｇの間の電圧変化による）をポータブル電子機器５０に送信する。制御キー１５は、マイクロホン導線Ｍと接地導線Ｇの間を電気的に接続する。各制御キーの間のマイクロホン導線Ｍに電気的に接続する一端は抵抗器Ｒ２を有し、シャッターボタン２０とその隣接する制御キー１５の間のマイクロホン導線Ｍに電気的に接続する一端も抵抗器Ｒ２を有する。これを介して制御キー１５とシャッターボタン２０は、コーディングスイッチセットを形成できる。つまり、信号検出器５７（図３Ｂ）は抵抗器Ｒ１、Ｒ２で起きた分圧レベルに基いて制御キー１５とシャッターボタン２０が各々導通状態或いは遮断状態における異なる組合せを識別できる。
【００４４】
よって、制御モジュール５８（図３Ｂ）は、信号検出器５７が検出した制御キー１５とシャッターボタン２０の押圧状態に応じて異なる動作を実行でき、例えばポータブル電子機器５０は音楽再生モードにおいて制御キー１５の押圧によって音楽再生（例えば、選曲、一時停止、早送り、音の大きさ等）を制御できる。また例えば制御キー１５の押圧によってポータブル電子機器５０は撮影モードにおいて撮影の焦点距離変更（つまりズーム操作、Ｚｏｏｍ  ｉｎ／ｏｕｔ）を制御できる。
【００４５】
（第３の実施例）
図６は、本考案に係る第３の実施例の保護ケース１前面図である。
【００４６】
図６に示すように、本実施例の保護ケース１とポータブル電子機器５０は、第１の実施例或いは第２の実施例とほぼ同じであるが、その相違点は保護ケース１がスピーカ４２１に電気的に接続し、別途の電力をスピーカ４２１に供給することで、外部電源が必要なスピーカ４２１を駆動するための電源モジュール６０を更に含むことである。そこで、電源モジュール６０は、充電回路と充電電池を含むことができるが、本考案の実施例はこれに限定されず、電源モジュール６０はアルカリ電池等の充電できない電池とすることもできる。
【００４７】
次に、若干の実施例において、前記制御キー１５の数量は２個とすることができ、それぞれズームイン／アウトの動作に対応する。制御キー１５は、シャッターボタン２０と一緒に第１側壁部１２１に設けられてシャッターボタン２０と隣接することができる。そこで、カメラを使う際の習慣に適合するため、この両制御キー１５はトグルスイッチ１５’で実現できる（図６）。
【００４８】
（第４の実施例）
図７Ａは、本考案に係る第４の実施例のトリガ回路４０図である。図７Ｂは、本考案に係る第４の実施例の別のトリガ回路４０図である。図７Ｃは、本考案に係る第４の実施例のシャッター検出回路５６図である。
【００４９】
図７Ａ乃至図７Ｃに示すように、本実施例のトリガ回路４０と第３の実施例ｔの相違点は、前記第１の実施例乃至第３の実施例の信号検出器５７が本実施例において保護ケース１のトリガ回路４０内に設けられるよう変更したことである（本実施例において変換モジュール４１と呼ぶことができる）。変換モジュール４１は、マイクロホン導線Ｍと接地導線Ｇの間を電気的に接続する。且つ、本実施例の変換モジュール４１は保護ケース１の電源モジュール６０に電気的に接続し、その間に同じように抵抗器Ｒ１を有することができる。前記信号検出器５７のように、変換モジュール４１はトリガ回路４０で生成したシャッター信号或いは制御信号を検出し、またシャッター信号を検出結果に変換してオーディオプラグ３０に出力できる。マイクロホン接点３４は、変換モジュール４１の出力側に電気的に接続することで、変換モジュール４１の検出結果を伝送する。別の面に、マイクロホンピン５１４は制御モジュール５８まで電気的に接続し、制御モジュール５８が変換モジュール４１からの検出結果を受信させることができる。
【００５０】
本実施例において、前記検出結果は、ポータブル電子機器５０の制御モジュール５８が識別できる信号又はコマンドに対応することができ、これをもって対応動作（例えば写真撮影、焦点合わせ、ズームイン／アウト等）を行う。
【００５１】
（第５の実施例）
図８は、本考案に係る第５の実施例の保護ケース１とポータブル電子機器５０の立体図である。
【００５２】
図８に示すように、本実施例の保護ケース１とポータブル電子機器５０は、前記第１の実施例乃至第４の実施例とほぼ同じであるが、その相違点は側壁部１２が切欠部を備えることである。切欠部は、底壁部１１の一側辺に対向する。オーディオプラグ３０は、側壁部１２上に位置し、且つ切欠部に対応する。よって、ポータブル電子機器５０は、この切欠部を経由して収容空間１３内に入り、またオーディオジャック５１と保護ケース１のオーディオプラグ３０を接続させることができる。
【００５３】
若干の実施例において、ポータブル電子機器５０は、差込ポート５４（例えばＵＳＢ、ＨＤＭＩ（登録商標）等のポート）を更に含む。保護ケース１も対応の接続端子６１を備えることでポータブル電子機器５０が収容空間１３に収容された時、差込ポート５４と接合する。これにより差込ポート５４を通じてスピーカ４２１を駆動するために必要な電源を供給できる。
【００５４】
通常ポータブル電子機器５０のオーディオジャック５１とオーディオプラグ３０の接続時、オーディオ信号を出力した場合、ポータブル電子機器５０に例えばスピーカようなオーディオ出力ユニットがあるとオーディオジャック５１を通じて出力する。よって、ポータブル電子機器５０は、着信又は音楽再生等の中断事象に遭遇した時、オーディオ信号がオーディオジャック５１を通じてオーディオプラグ３０に出力してからオーディオプラグ３０でスピーカ４２１に送信でき、こうすると保護ケース１のスピーカ４２１から音声を放出できる。これを介して利用者は、保護ケース１を外さなくてもオーディオ信号に対応する音声を聴くことができ、例えば発信者との通話或いは音楽を聴くことである。
【００５５】
上記をまとめて、本考案に係るシャッター構造を備えた保護ケース１は、利用者が保護ケース１を把持した時シャッターボタン２０を押圧すると撮影できる。シャッターボタン２０がケースシェル１０の外側に位置するため、利用者が簡単にシャッターボタン２０を押圧することができ、ポータブル電子機器５０のスクリーンをタップして撮影を行う必要がない。更に、利用者が保護ケース１を把保する時操作や撮影の方法は、一般のカメラと同じであるため、利用者に安定して把持させることができ、またカメラを操作している実感が得られる。このほかに、保護ケース１にスピーカ４２１を設けることを通じて、利用者が保護ケース１を外さなくてもポータブル電子機器５０から出力された音声を聴くことができる。
【符号の説明】
【００５６】
１    保護ケース
１０  ケースシェル
１１  底壁部
１２  側壁部
１２１    第１側壁
１２２    第２側壁
１３  収容空間
１４  スールホール
１５  制御キー
１５’    トグルスイッチ
２０  シャッターボタン
３０  オーディオプラグ
３１  左チャンネル接点
３２  右チャンネル接点
３３  接地接点
３４  マイクロホン接点
３５  絶縁部
４０  トリガ回路
４１  変換モジュール
４２  音響モジュール
４２１    スピーカ
５０  ポータブル電子機器
５１  オーディオジャック
５１１    左チャンネルピン
５１２    右チャンネルピン
５１３    接地ピン
５１４    マイクロホンピン
５２  カメラモジュール
５３  電源モジュール
５４  差込ポート
５５  背面
５６  シャッター検出回路
５７  信号検出器
５８  制御モジュール
５９  オーディオモジュール
６０  電源モジュール
６１  接続端子
Ｌ    左チャンネル導線
Ｒ    右チャンネル導線
Ｇ    接地導線
Ｍ    マイクロホン導線
Ｒ１、Ｒ２        抵抗器
【図１】
0003187341.tif 000003
【図２】
0003187341.tif 000004
【図３Ａ】
0003187341.tif 000005
【図３Ｂ】
0003187341.tif 000006
【図４】
0003187341.tif 000007
【図５】
0003187341.tif 000008
【図６】
0003187341.tif 000009
【図７Ａ】
0003187341.tif 000010
【図７Ｂ】
0003187341.tif 000011
【図７Ｃ】
0003187341.tif 000012
【図８】
0003187341.tif 000013